(57)【要約】【課題】ノイズや妨害に強くするために、ＱＰＳＫ搬送波のロック、アンロックを判断するΘに尤度を持たせた場合、米国のケーブルシステムのＦＤＣシステムのように、３種類のシンボルレートのいずれかが送信されることが決まっている場合には、この尤度が原因で受信側の設定した伝送レートと異なる別の伝送レートの信号を受信したときも誤って搬送波ロックと判定してしまうという課題がある。【解決手段】ＱＰＳＫ復調部の後段に位置するＰＯＤ(Ｐｏｉｎｔ  ｏｆ  Ｄｅｖｉｃｅ)で送信側からＯｕｔ  ｏｆ  Ｂａｎｄで送られてくる情報（パケット取得情報、課金情報、ユーザ情報、チャンネル情報など）を取得したか否かで、Ｓｔａｔｕｓ  ｏｆ  ＦＤＣのＣａｒｒｉｅｒ  ｌｏｃｋ  Ｓｔａｔｕｓのロック、アンロックを判断する。【選択図】図１
2007013752.tif 000002
【特許請求の範囲】
【請求項１】
選局しているチャンネルの状態を表示する画面（ＯＰＥＮＣＡＢＬＥ  ＨＯＳＴ  ＤＥＶＩＣＥ  ＤＩＡＧＮＯＳＴＩＣＳ）の受信機のＦＤＣ受信状態（Ｓｔａｔｕｓ  ｏｆ  ＦＤＣ）の項目のＣａｒｒｉｅｒ  ｌｏｃｋ  Ｓｔａｔｕｓにおいて、
ＱＰＳＫ復調部のＣａｒｒｉｅｒ  ｌｏｃｋ信号ではなく、ＱＰＳＫ復調部の後段に位置するＰＯＤ(Ｐｏｉｎｔ  ｏｆ  Ｄｅｖｉｃｅ)の同期情報をＣａｒｒｉｅｒ  Ｌｏｃｋ  Ｓｔａｔｕｓとして表示するようにした、米国ＯｐｅｎＣａｂｌｅ対応デジタルケーブル放送用受信機。
【請求項２】
ケーブル会社からのＦＡＴ（ＦＯＲＷＡＲＤ  ＡＰＰＬＩＣＡＴＩＯＮ  ＴＲＡＮＳＰＯＲＴ  ＣＨＡＮＮＥＬ）信号とＦＤＣ（ＦＯＲＷＡＲＤ  ＤＡＴＡ  ＣＨＡＮＮＥＬ）信号の両方が入力される信号入力部と、ＦＡＴ信号から選局されたチャンネルの周波数とローカル信号を混合し規定周波数のＩＦ信号に周波数変換し、隣接に存在するチャンネルを取り除き、ＱＡＭ復調部が正しく動作する適切な信号を出力するＦＡＴチューナ部と、ＱＡＭ変調された信号を復調するＱＡＭ復調部と、伝送路における誤りを訂正し、トランスポートストリーム信号（ＴＳ信号）を出力する誤り訂正部と、トランスポートストリーム信号からＭＰＥＧデコードおよび音声デコードし、デジタル画像信号とデジタル音声信号を作り出すＭＰＥＧデコード部＋音声デコード部と、デジタル画像信号をアナログ画像信号に変換するＶｉｄｅｏＤＡＣ部と、デジタル音声信号をアナログ音声信号に変換するＡｕｄｉｏＤＡＣ部と、システム制御部と、ＯＰＥＮＣＡＢＬＥ  ＨＯＳＴ  ＤＥＶＩＣＥ  ＤＩＡＧＮＯＳＴＩＣＳという受信機のケーブル受信状態（ＳＴＡＴＵＳ）画面を作るグラフィック部と、ＭＰＥＧデコード部から出力されるデジタル画像信号と、グラフィック部から出力されるチャンネルの受信状態を示す画面を混合する画面混合部と、アナログ画像信号を出力するアナログ画像信号出力部と、アナログ音声信号を出力するアナログ音声信号出力部と、リモコンや外部ボタンなどからシステム制御情報が入力される外部制御信号入力端子と、ＦＤＣ信号から、ＰＯＤ（Ｐｏｉｎｔ  ｏｆ  Ｄｅｐｌｏｙｍｅｎｔ）部に設定されているＦＤＣ信号の存在する周波数を選局し、ＩＦ信号に周波数変換し、隣接に存在するチャンネルを取り除き、ＱＰＳＫ復調部が正しく動作する適切な信号を出力するＦＤＣチューナ部と、ＱＰＳＫ変調された信号を復調するＱＰＳＫ復調部と、ケーブル会社より送られてくるＦＤＣ信号の周波数と、ＦＤＣ信号に含まれている情報（チャンネル配置情報、課金情報、お客様情報）を受信し、ＳＴＡＴＵＳ  ｏｆ  ＦＤＣのＣａｒｒｉｅｒ  ｌｏｃｋ  Ｓｔａｔｕｓのロック、アンロックの情報をシステム制御部へ送出するＰＯＤ部によって構成される米国ＯｐｅｎＣａｂｌｅ対応デジタルケーブル放送用受信機。
【発明の詳細な説明】
【技術分野】
【０００１】
本発明は、米国のＯｐｅｎＣａｂｌｅ規格・仕様に対応した、デジタルケーブル放送用受信機、およびテレビセットに関する。
【背景技術】
【０００２】
米国のケーブル業界においては、１９９７年にＣａｂｌｅ  Ｌａｂという北米ケーブルの規格を決定するグループの提唱により、ケーブル業界活性化を目的として、ＯｐｅｎＣａｂｌｅ標準規格が確立された。そのＯｐｅｎＣａｂｌｅ標準規格の一つにＯｐｅｎＣａｂｌｅＨｏｓｔＤｅｖｉｃｅ１．０ＣｏｒｅＦｕｎｃｔｉｏｎａｌＲｅｑｕｉｒｅｍｅｎｔというＯｐｅｎＣａｂｌｅに対応した放送を受信する受信機に関する仕様がある。
【０００３】
その仕様の中で、ＯＰＥＮＣＡＢＬＥ  ＨＯＳＴ  ＤＥＶＩＣＥ  ＤＩＡＧＮＯＳＴＩＣＳという受信機のケーブル受信状態（ＳＴＡＴＵＳ）を表示する内容に関しての仕様がある。そのＳＴＡＴＵＳの項目の中で、Ｓｔａｔｕｓ  ｏｆ  ＦＤＣというＦＤＣの信号状態を示す項目がある。
【０００４】
Ｓｔａｔｕｓ  ｏｆ  ＦＤＣでは、ＦＤＣの中心周波数、ＦＤＣの搬送波ロック状態を表示するように規格に定められている（非特許文献１の５０ページ目に記載）。
【０００５】
そしてケーブル放送用受信機をお客様の家に設置する場合に、これらのＳｔａｔｕｓを見て、配信されるケーブル放送の状態を判断している。
【０００６】
次に、従来の受信機の構成を図３に示す。
【０００７】
ケーブル会社より送られてくるＩＮ＿ＢＡＮＤ帯域のＱＡＭ変調信号から所望のチャンネルを選局し、ＱＡＭ復調、誤り訂正し、トランスポートストリーム信号を復号し、またケーブル会社より送られてくるＯＵＴ＿ＯＦ＿ＢＡＮＤ帯域のＦＤＣ信号（変調方式は、ＱＰＳＫ変調）から所望の周波数を選局し、ＱＰＳＫ復調、誤り訂正をし、ＰＯＤ部において、課金情報、ユーザ情報、チャンネル情報などを復号するフロントエンド部４０１と、トランスポートストリーム信号から、ＭＰＥＧ画像およびデジタル音声を復元し、アナログ映像、アナログ音声に変換し外部に出力するバックエンド部４０２と、受信機システム全体の制御をするシステム制御部１０８と、番組表や、グラフィック画面を作成するグラフィック部１０９により構成されている。
【０００８】
次に従来の搬送波再生（ＡＦＣ回路）およびＱＰＳＫロック信号の算出方法について、説明する。
【０００９】
特許文献１の図３は、従来のＡＦＣ回路、参考文献の図５は搬送波ロックを説明するための図を示す。
【００１０】
特許文献１より、ＡＦＣ回路動作が正しく動作された場合は、図５のΘの値が、限りなくゼロに近づき、ＱＰＳＫ復調がロックしたという信号を出力する。そして、Θがゼロから遠ざかると、ＱＰＳＫ復調がアンロックしたという信号を出力する。
【００１１】
その基準値をｒとすると、Θがｒより小さい場合はＱＰＳＫ復調ロック、Θがｒより大きい場合はＱＰＳＫ復調アンロックという信号を出力する。
【特許文献１】特開２００１−１６２８５号公報
【非特許文献１】ＯＣ−ＳＰ−ＨＯＳＴ２．０−ＣＦＲ−Ｉ０５−０５０５０３
【発明の開示】
【発明が解決しようとする課題】
【００１２】
解決しようとする問題点は、従来のＱＰＳＫ復調の搬送波ロック信号で、ロック、アンロックを判断した場合、その表示の正確度が１００％でないという点である。
【００１３】
従来技術のように、Θの値がゼロでロック、それ以外では、アンロックとすると、ノイズや妨害に弱い受信機となってしまう。この点、実用的な受信機では、受信信号にノイズや妨害が重畳されることを考慮し、ロックの基準値に、一定の幅（０≦Θ＜ノイズや妨害が重畳されても誤判定しない一定の角度）を持たせる。
そのため、送信側から送信される信号が１種類であれば、ロック、アンロックの不正確さという問題は生じない。
【００１４】
しかしながら、米国のケーブルシステムのＦＤＣシステムでは、１．５４４Ｍｂｐｓ、２．０４８Ｍｂｐｓ、３．０８８Ｍｂｐｓの３種類のいずれかが送信されるとが決まっているが、どの伝送レートで送られるかは、受信側には知らされていない。この状況では、この基準値に一定の幅を持たせたことで、３種類の伝送レートすべてにおいて、ロック判定してしまう可能性が高くなり、受信側の設定した伝送レートと異なる別の伝送レートの信号を受信したときも誤って搬送波ロックと判定してしまう。
【００１５】
例えば受信側で１．５４４Ｍｂｐｓの設定にした場合に、送信側から２．０４８Ｍｂｐｓ、３．０８８Ｍｂｐｓの信号を受信した場合でも、誤って搬送波ロックと判定をする場合があり、ロックが１００％正確でないという課題を生じる。
【課題を解決するための手段】
【００１６】
本発明は、ＳＴＡＴＵＳ  ｏｆ  ＦＤＣのＣａｒｒｉｅｒ  ｌｏｃｋ  Ｓｔａｔｕｓ  を、上記課題のような誤ってロックする可能性のあるＱＰＳＫの搬送波のロック信号ではなく、ＱＰＳＫ復調部の後段に位置するＰＯＤ(Ｐｏｉｎｔ  ｏｆ  Ｄｅｖｉｃｅ)で送信側からＯｕｔ  ｏｆ  Ｂａｎｄで送られてくる情報（課金情報、ユーザ情報、チャンネル情報など）を取得したか否かでＳｔａｔｕｓ  ｏｆ  ＦＤＣのＣａｒｒｉｅｒ  ｌｏｃｋＳｔａｔｕｓのロック、アンロックを表示することを特徴とする。
【発明の効果】
【００１７】
本発明の米国ＯｐｅｎＣａｂｌｅ対応デジタルケーブル放送用受信機は、ＳＴＡＴＵＳ  ｏｆ  ＦＤＣのＣａｒｒｉｅｒ  ｌｏｃｋ  Ｓｔａｔｕｓのロック、アンロック表示の正確度が１００％に改善される。
【発明を実施するための最良の形態】
【００１８】
（実施の形態１）
図１は、本発明の第１の実施形態を示す米国ＯｐｅｎＣａｂｌｅ対応デジタルケーブル放送用受信機の構成を示すブロック図である。
【００１９】
ケーブル会社からのＦＡＴ（ＦＯＲＷＡＲＤ  ＡＰＰＬＩＣＡＴＩＯＮ  ＴＲＡＮＳＰＯＲＴ  ＣＨＡＮＮＥＬ）信号とＦＤＣ（ＦＯＲＷＡＲＤ  ＤＡＴＡ  ＣＨＡＮＮＥＬ）信号の両方が入力される信号入力部１０１と、ＦＡＴ信号から選局されたチャンネルの周波数とローカル信号を混合し規定周波数のＩＦ信号に周波数変換し、隣接に存在するチャンネルを取り除き、ＱＡＭ復調部が正しく動作する適切な信号を出力するＦＡＴチューナ部１０２と、ＱＡＭ変調された信号を復調するＱＡＭ復調部と１０３と、伝送路における誤りを訂正し、トランスポートストリーム信号（ＴＳ信号）を出力する誤り訂正部１０４と、トランスポートストリーム信号からＭＰＥＧデコードおよび音声デコードし、デジタル画像信号とデジタル音声信号を作り出すＭＰＥＧデコード部＋音声デコード部１０５と、デジタル画像信号をアナログ画像信号に変換するＶｉｄｅｏＤＡＣ部１０６と、デジタル音声信号をアナログ音声信号に変換するＡｕｄｉｏＤＡＣ部１０７と、システム制御部１０８と、ＯＰＥＮＣＡＢＬＥ  ＨＯＳＴ  ＤＥＶＩＣＥ  ＤＩＡＧＮＯＳＴＩＣＳという受信機のケーブル受信状態（ＳＴＡＴＵＳ）画面を作るグラフィック部１０９と、ＭＰＥＧデコード部から出力されるデジタル画像信号と、グラフィック部１０９から出力されるチャンネルの受信状態を示す画面を混合する画面混合部１１０と、アナログ画像信号を出力するアナログ画像信号出力部１１１と、アナログ音声信号を出力するアナログ音声信号出力部１１２と、リモコンや外部ボタンなどからシステム制御情報が入力される外部制御信号入力端子１１３と、ＦＤＣ信号から、ＰＯＤ（Ｐｏｉｎｔ  ｏｆ  Ｄｅｐｌｏｙｍｅｎｔ）部に設定されているＦＤＣ信号の存在する周波数を選局し、ＩＦ信号に周波数変換し、隣接に存在するチャンネルを取り除き、ＱＰＳＫ復調部が正しく動作する適切な信号を出力するＦＤＣチューナ部１１４と、ＱＰＳＫ変調された信号を復調するＱＰＳＫ復調部１１５と、ケーブル会社より送られてくるＦＤＣ信号の周波数と、ＦＤＣ信号に含まれている情報（チャンネル配置情報、課金情報、お客様情報）を受信し、ＳＴＡＴＵＳ  ｏｆ  ＦＤＣのＣａｒｒｉｅｒ  ｌｏｃｋ  Ｓｔａｔｕｓのロック、アンロックの情報をシステム制御部へ送出するＰＯＤ部１１６によって、構成されている。
【００２０】
以下に図１を用いて、動作を説明する。まず、信号入力部１０１に、ケーブル会社からＦＡＴ信号（ＦＡＴ：ＦＯＲＷＡＲＤ  ＡＰＰＬＩＣＡＴＩＯＮ  ＴＲＡＮＳＰＯＲＴの略で、ＵＳケーブルでは、周波数５４ＭＨｚから８６４ＭＨｚの帯域にて主に映像と音声が伝送される）とＦＤＣ信号（ＦＤＣ：ＦＯＲＷＯＲＤ  ＤＡＴＡ  ＣＨＡＮＮＥＬの略で、ＵＳケーブルでは、周波数７０ＭＨから１３０ＭＨｚの帯域にて、おもにユーザに関する情報が伝送される）が送信される。この信号入力部１０１からの信号は、ＦＡＴチューナ部１０２と、ＦＤＣチューナ部１１４に供給される。
【００２１】
次に、ＰＯＤ部１１６（お客様が挿入したＰＯＤモジュールと呼ばれる顧客管理カード）から、そのＰＯＤモジュールが指定するＦＤＣ信号の周波数チャンネル情報をシステム制御部１０８へ伝達し、システム制御部１０８はその周波数を選局するようにＦＤＣチューナ部１１４に命令する。
【００２２】
ＦＤＣチューナ部１１４では、システム制御部１０８から送られてきたＦＤＣ信号の存在する周波数を選局し、ＩＦ信号に周波数変換し、隣接に存在するチャンネルを取り除き、ＱＰＳＫ復調部が正しく動作する適切な信号を出力する。その後、後段ＱＰＳＫ復調部１１５へ伝送し、ＱＰＳＫ復調部１１５ではＱＰＳＫ復調する。
【００２３】
その後、ＰＯＤ部１１６へ、ケーブル会社からのチャンネル配置情報、課金情報、お客様情報などが受け渡され、それらの情報をシステム制御部１０８が管理する。
【００２４】
ＰＯＤ部１１６は、ＱＰＳＫ復調部１１５からパケット取得情報、チャンネル配置情報、課金情報、お客様情報などを受取り、これら情報が正しく受信できているか否かを判断し、正しく受信できていると判断した場合はその旨の情報がシステム制御部１０８に送られる。
【００２５】
システム制御部１０８は、ＰＯＤ部１１６から「情報が正しく受信できている」旨の情報を受取った場合は「ロック」を認識、グラフィック部に「ＬＯＣＫ」表示を命令する。「情報が正しく受信できていない」旨の情報を受け取った場合は、「アンロック」を認識、グラフィック部に「ＵＮＬＯＣＫ」表示を命令する。なお、請求項に記載の「ＰＯＤの同期情報」とは、ＰＯＤ部１１６からシステム制御部１０８へ送られる「情報が正しく受信できている」旨の情報や、これを受けてシステム制御部１０８が判断する「ロック」情報等を示す。
【００２６】
その後、リモコンや外部ボタンにより、お客様が希望するチャンネルを選局すると、その情報が外部制御信号端子１１３から入力され、システム制御部１０８へ送られ、システム制御部１０８は、ＦＡＴチューナ部１０２にその情報を伝達する。ＦＡＴチューナ部１０２では、そのチャンネルの選局周波数を選局し、規定周波数のＩＦ信号に周波数変換し、隣接に存在するチャンネルを取り除き、後段ＱＡＭ復調部１０３が正しく動作する適切な信号を出力する。
【００２７】
ＱＡＭ復調部１０３では、そのＱＡＭ変調された信号をＱＡＭ復調し、後段の誤り訂正部１０４へ渡す。誤り訂正部１０４では、伝送路の誤りを訂正し、エラー情報などを含むトランスポートストリーム信号を出力する。
【００２８】
誤り訂正部１０４から出力されたトランスポートストリームは、ＭＰＥＧデコード部＋音声デコード部１０５において、ＭＰＥＧデコードおよび音声デコードされ、デジタル画像信号とデジタル音声信号が作り出される。
【００２９】
その後、デジタル画像信号は、ＶｉｄｅｏＤＡＣ部１０６により、アナログ画像信号に変換され、アナログ画像信号出力端子１１１から出力される。デジタル音声信号は、ＡｕｄｉｏＤＡＣ部１０７により、アナログ音声信号に変換され、アナログ音声出力端子１１２から出力される。
【００３０】
グラフィック部１０９では、システム制御部１０８から送られてくる、ＦＡＴの情報、ＰＯＤから送られてきたＦＤＣの情報などから、図２に示すチャンネルの状態を表示する画面（ＯＰＥＮＣＡＢＬＥ  ＨＯＳＴ  ＤＥＶＩＣＥ  ＤＩＡＧＮＯＳＴＩＣＳ）を作成する。このとき、本発明では、Ｓｔａｔｕｓ  ｏｆ  ＦＤＣのＣａｒｒｉｅｒ  ｌｏｃｋ  Ｓｔａｔｕｓのロック、アンロック情報は、ＰＯＤ部１１６から送られてきた「情報が正しく受信できている」旨の情報や、これを受けてシステム制御部１０８が判断する「ロック」情報等により作られる。
【００３１】
上記情報のいずれかがＰＯＤ１１６よりシステム制御部１０９へ正しく受信できていると伝達された場合は、Ｓｔａｔｕｓ  ｏｆ  ＦＤＣのＣａｒｒｉｅｒ  ｌｏｃｋ  Ｓｔａｔｕｓにおいてロックしていると表示し、正しく受信できていないと伝達された場合は、Ｓｔａｔｕｓ  ｏｆ  ＦＤＣのＣａｒｒｉｅｒ  ｌｏｃｋ  Ｓｔａｔｕｓにおいてアンロックしていると表示される。
【００３２】
そして、外部信号入力端子１１３から、チャンネルの状態を表示する画面を表示するという制御信号がきた場合のみ、画面混合部１１０により、受信画面とチャンネルの受信状態を示す画面が混合され、ＶｉｄｅｏＤＡＣ部１０６を通り、アナログ画像出力端子１１１に出力される。
【産業上の利用可能性】
【００３３】
本発明は、米国ＯｐｅｎＣａｂｌｅ対応デジタルケーブル放送用受信機だけでなく、デジタルケーブル放送受信機能を持つＤＶＤ録画機などの用途にも適用できる。
【図面の簡単な説明】
【００３４】
【図１】本発明の第１の実施形態とする、米国ＯｐｅｎＣａｂｌｅ対応デジタルケーブル放送用受信機の構成を示すブロック図
【図２】第１の実施形態におけるチャンネルの状態を表示する画面（ＯＰＥＮＣＡＢＬＥ  ＨＯＳＴ  ＤＥＶＩＣＥ  ＤＩＡＧＮＯＳＴＩＣＳ）の一実施例を示した図
【図３】従来の米国ＯｐｅｎＣａｂｌｅ対応デジタルケーブル放送用受信機の構成を示すブロック図
【符号の説明】
【００３５】
１０１    信号入力部
１０２    ＦＡＴチューナ部
１０３    ＱＡＭ復調部
１０４    誤り訂正部
１０５    ＭＰＥＧデコード部＋音声デコード部
１０６    ＶｉｄｅｏＤＡＣ部
１０７    ＡｕｄｉｏＤＡＣ部
１０８    システム制御部
１０９    グラフィック部
１１０    画面混合部
１１１    アナログ画像信号出力端子
１１２    アナログ音声信号出力端子
１１３    外部制御信号入力端子
１１４    ＦＤＣチューナ部
１１５    ＱＰＳＫ復調部
１１６    ＰＯＤ部
４０１    フロントエンド部
４０２    バックエンド部
【図１】
2007013752.tif 000003
【図２】
2007013752.tif 000004
【図３】
2007013752.tif 000005